(57)【要約】【課題】低背化されたモジュラージャックを提供する。【解決手段】第１ハウジング１に設けた第１挿入凹部１１に第１カバーハウジング３の大部分が没入するように、ジャック１０を第１ハウジング１と第１カバーハウジング３で構成する。プラグ９１とジャック１０を電気的に接続する場合は、挿入開口１１ａが拡がるように、第１カバーハウジング３を揺動変位させ、プラグ９１を第１ハウジング１の第１挿入凹部１１に挿入すると、プラグ９１の挿入動作で第１カバーハウジング３の姿勢が変位されて、第１ハウジング１と第１カバーハウジング３でプラグ９１を挟持するように、第１ハウジング１と第１カバーハウジング３を連結している。第１カバーハウジング３が第１ハウジング１の第１挿入凹部１１を閉じた状態では、ジャック１０の厚さをプラグ９１より薄い厚さに低背化できる。【選択図】図７
2013247047.tif 000002
【特許請求の範囲】
【請求項１】
外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、
前記プラグハウジングを挿入できるように一方の端面を開口した挿入開口、及びこの挿入開口に連通すると共に、前記プラグハウジングの一方の側面がスライドする第１底壁を設けた第１挿入凹部を有する直方体状の第１ハウジングと、
前記第１挿入凹部の奥側に配列され、前記相手側コンタクトと接続する複数の第１コンタクトと、
前記挿入開口の一部を形成するように一方の端面を開口すると共に、前記プラグハウジングの他方の側面がスライドする第２底壁を設けた第２挿入凹部を有し、前記第１底壁の両翼に形成された一対の第１内側壁に外側壁が対向するように、前記第１ハウジングと揺動可能に連結した直方体状の第１カバーハウジングと、を備え、
前記第１ハウジングは、
前記第１挿入凹部の奥側に配置され、対向するように前記第１内側壁から突出した一対の第１突起と、
前記第１挿入凹部の挿入開口側に配置され、対向するように前記第１内側壁から突出した一対の第２突起と、を有し、
前記第１カバーハウジングは、
一対の前記第１突起に案内されて前記第１底壁と前記第２底壁との離間距離を変える直条の第１案内溝と、
一対の前記第２突起に案内されて前記第１底壁と前記第２底壁との離間距離を変えると共に姿勢を変化させる、楕円状に閉塞した案内輪郭を形成したカム溝と、を当該外側壁に有し、
前記第１カバーハウジングが前記第１挿入凹部を閉じて、一対の前記第１突起が前記第１案内溝の低い位置にあるときは、一対の前記第１突起を回転中心として、一対の前記第２突起が前記カム溝の一方の案内輪郭に案内されて、前記挿入開口を開くことができ、
前記第１カバーハウジングが傾動して前記挿入開口を開いた状態から、前記モジュラープラグを当該挿入開口に差し込むと、一対の前記第１突起が前記第１案内溝の高い位置に移動すると共に、一対の前記第２突起が前記カム溝の高い位置に移動して、前記モジュラープラグを接続可能に、前記第１ハウジングに対して前記第１カバーハウジングを平行状態に変位させるモジュラージャック。
【請求項２】
前記第１カバーハウジングが傾動して前記挿入開口を閉じた状態から、一対の前記第２突起が前記カム溝の他方の案内輪郭に当接すると共に、一対の前記第１突起が前記第１案内溝の低い位置に移動して、前記第１ハウジングに対して前記第１カバーハウジングが平行状態で前記第１挿入凹部を閉じる請求項１記載のモジュラージャック。
【請求項３】
外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、
前記プラグハウジングを挿入できるように一方の端面を開口した挿入開口、及びこの挿入開口に連通すると共に、前記プラグハウジングの一方の側面がスライドする第３底壁を設けた第３挿入凹部を有する直方体状の第２ハウジングと、
前記第３挿入凹部の奥側に配列され、前記相手側コンタクトと接続する複数の第２コンタクトと、
前記挿入開口の一部を形成するように一方の端面を開口すると共に、前記プラグハウジングの他方の側面がスライドする第４底壁を設けた第４挿入凹部を有し、前記第３底壁の両翼に形成された一対の第２内側壁に外側壁が対向するように、前記第２ハウジングと揺動可能に連結した直方体状の第２カバーハウジングと、を備え、
前記第２ハウジングは、
前記第３挿入凹部の奥側に配置され、対向するように前記第２内側壁から突出した一対の第３突起と、
一対の前記第２内側壁の先端部に配置され、対向するように前記第２内側壁から突出した一対の段差部と、を有し、
前記第２カバーハウジングは、
一対の前記第３突起に案内され、前記第３底壁と前記第４底壁との離間距離を変える直条の第２案内溝と、
一対の前記外側壁の先端部から相反する向きに突出し、前記段差部に係止可能な鍔片と、を有し、
前記第２カバーハウジングが前記第３挿入凹部を閉じて、一対の前記第３突起が前記第２案内溝の低い位置にあるときは、前記鍔片の端部が前記段差部に当接して、前記挿入開口を開くことができ、
前記第２カバーハウジングが傾動して前記挿入開口を開いた状態から、前記モジュラープラグを当該挿入開口に差し込むと、一対の前記第３突起が前記第２案内溝の高い位置に移動して、前記モジュラープラグを接続可能に、前記第２ハウジングに対して前記第２カバーハウジングを平行状態に変位させるモジュラージャック。
【請求項４】
前記第２ハウジングの外壁を覆うと共に、外殻を構成する金属製のシェルを更に備える請求項３記載のモジュラージャック。
【請求項５】
プリント基板に実装される請求項１から４のいずれかに記載のモジュラージャック。
【発明の詳細な説明】
【技術分野】
【０００１】
本発明は、モジュラージャックに関する。特に、ＬＡＮ（ｌｏｃａｌ  ａｒｅａ  ｎｅｔｗｏｒｋ）用のモジュラープラグが接続されるモジュラージャックであって、ノート形パソコンなどの電子機器にコンパクトに実装して、電子機器を小型化できるモジュラージャックの構造に関する。
【背景技術】
【０００２】
ノート形パソコンなどの電子機器は、ＬＡＮに接続するためのＬＡＮ用のモジュラージャックを本体の側面又は背面などに配置している。ＬＡＮ用のモジュラープラグとしては、８ピンのコンタクトを有する「ＲＪ４５」プラグが普及している。したがって、ノート形パソコンなどの電子機器の多くは、ＬＡＮ用のモジュラージャックとして、「ＲＪ４５」ジャックを採用している。
【０００３】
上述したようなモジュラージャックは、近年では、プリント基板に実装され、ノート形パソコンなどの電子機器に装着されている。しかし、従来技術によるモジュラージャックは、そのジャックの厚さが大きいので、ノート形パソコンに装着した場合に、ノート形パソコンの厚さを大きくするという不具合があった。
【０００４】
上述した不具合を解消するため、一方の端部に開口した挿入開口にプラグを差し込んで、プラグと電気的に接続できるジャックであって、挿入開口に連設して上面が開口したプラグ収容室を有する直方体状のハウジングと、ハウジングの一方の側面を開閉するカバーハウジングとを備え、カバーハウジングを閉じて、ジャックの高さを低くした状態から、カバーハウジングを開いて挿入開口を広げ、プラグの差し込みを可能としたモジュラージャックが開示されている（例えば、特許文献１参照）。
【０００５】
特許文献１によるモジュラージャックは、プラグをジャックの挿入開口から引き抜いてカバーハウジングをハウジング側に没入させることにより、ジャックの高さを低くすることができる、としている。
【先行技術文献】
【特許文献】
【０００６】
【特許文献１】特開２０００−９２１５９号公報
【発明の概要】
【発明が解決しようとする課題】
【０００７】
図１６は、特許文献１によるモジュラージャックの斜視図であり、モジュラープラグを対向配置した状態図である。図１７は、特許文献１によるモジュラージャックの縦断面図であり、モジュラープラグを対向配置した状態図である。本願の図１６は、特許文献１の図１に相当し、本願の図１７は、特許文献１の図２に相当している。
【０００８】
図１６又は図１７を参照すると、特許文献１によるモジュラージャック（以下、ジャックと略称する）８０は、直方体状のハウジング８１とカバーハウジング８２を備えている。ハウジング８１は、前面に挿入開口８１１を開口すると共に、挿入開口８１１に連設して上面が開口したプラグ収容室８１ａを有している。又、ハウジング８１は、一対の軸受部８１２・８１２を上方に向けて後端部から突出している。
【０００９】
図１６又は図１７を参照すると、カバーハウジング８２は、挿入開口８１１の一部を形成するように前面を開口すると共に、ハウジング８１の上面を覆っている。又、カバーハウジング８２は、軸受部８１２に開口された貫通穴に回転可能に保持される軸ピン８２２を後端部から突出している。これにより、一対の軸ピン８２２・８２２を回転中心として、カバーハウジング８２を開閉できる。
【００１０】
図１６又は図１７を参照すると、カバーハウジング８２は、相反する向きに突出する一対の突起部８２３・８２３を前端部に有している。一方、ハウジング８１は、これらの突起部８２３・８２３に嵌合可能な一対の凹部８１３・８１３を内側壁に形成している。ハウジング８１に対して、カバーハウジング８２を閉じると、突起部８２３が凹部８１３に嵌合して、カバーハウジング８２をロック（係止）できる。
【００１１】
図１６又は図１７を参照して、プラグ９０とジャック８０を電気的に接続する場合は、カバーハウジング８２の先端部を持ち上げて、挿入開口８１１を拡げる（図１６の想像線を参照）。次に、プラグ９０を挿入開口８１１からプラグ収容室８１ａに挿入すると、プラグ９０に設けたコンタクト９ｃがプラグ収容室８１ａに設けたコンタクト８ｃに接触して、プラグ９０とジャック８０を電気的に接続できる。なお、プラグ９０は、コンタクト９ｃと反対側にロックレバー９１ｒを配置している。
【００１２】
図１６又は図１７を参照して、プラグ９０をジャック８０に差し込む前の状態では、カバーハウジング８２の下端部側がプラグ収容室８１ａに没入されているので、ジャック８０の高さｈを従来のジャック（図示せず）の高さＨよりも低くできる、としている。
【００１３】
しかしながら、図１６又は図１７に示されたジャック８０は、カバーハウジング８２を開閉するために、一対の軸受部８１２・８１２を上方に向けて、ハウジング８１の後端部から突出している。このため、特許文献１によるジャック８０は、「ＲＪ４５」プラグに相当するプラグ９０の規定の高さＨｐを超えた高さｈになっているという問題がある。
【００１４】
「ＲＪ４５」ジャックなどのＬＡＮ用のモジュラージャックは、一層の低背化が求められている。モジュラージャックの構造を工夫して、モジュラージャックの高さを「ＲＪ４５」プラグの規定の高さＨｐに限りなく近づけることにより、このモジュラージャックを実装するノート形パソコンなどの電子機器を低背化できる。そして、以上のことが本発明の課題といってよい。
【００１５】
本発明は、このような課題に鑑みてなされたものであり、ノート形パソコンなどの電子機器に実装して、電子機器を小型化できる、より低背化されたモジュラージャックを提供することを目的とする。
【課題を解決するための手段】
【００１６】
本発明者は、ハウジングに設けた挿入凹部にカバーハウジングの大部分が没入するように、モジュラージャックをハウジングとカバーハウジングで構成し、モジュラープラグとモジュラージャックを電気的に接続する場合は、挿入開口が拡がるように、カバーハウジングを揺動変位させ、モジュラープラグをハウジングの挿入凹部に挿入すると、モジュラープラグの挿入動作でカバーハウジングの姿勢が変位されて、ハウジングとカバーハウジングでモジュラープラグを挟持するように、ハウジングとカバーハウジングを連結することにより、この課題が解決可能なことを見出し、これに基づいて、以下のような新たなモジュラージャックを発明するに至った。
【００１７】
（１）  外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、前記プラグハウジングを挿入できるように一方の端面を開口した挿入開口、及びこの挿入開口に連通すると共に、前記プラグハウジングの一方の側面がスライドする第１底壁を設けた第１挿入凹部を有する直方体状の第１ハウジングと、前記第１挿入凹部の奥側に配列され、前記相手側コンタクトと接続する複数の第１コンタクトと、前記挿入開口の一部を形成するように一方の端面を開口すると共に、前記プラグハウジングの他方の側面がスライドする第２底壁を設けた第２挿入凹部を有し、前記第１底壁の両翼に形成された一対の第１内側壁に外側壁が対向するように、前記第１ハウジングと揺動可能に連結した直方体状の第１カバーハウジングと、を備え、前記第１ハウジングは、前記第１挿入凹部の奥側に配置され、対向するように前記第１内側壁から突出した一対の第１突起と、前記第１挿入凹部の挿入開口側に配置され、対向するように前記第１内側壁から突出した一対の第２突起と、を有し、前記第１カバーハウジングは、一対の前記第１突起に案内されて前記第１底壁と前記第２底壁との離間距離を変える直条の第１案内溝と、一対の前記第２突起に案内されて前記第１底壁と前記第２底壁との離間距離を変えると共に姿勢を変化させる、楕円状に閉塞した案内輪郭を形成したカム溝と、を当該外側壁に有し、前記第１カバーハウジングが前記第１挿入凹部を閉じて、一対の前記第１突起が前記第１案内溝の低い位置にあるときは、一対の前記第１突起を回転中心として、一対の前記第２突起が前記カム溝の一方の案内輪郭に案内されて、前記挿入開口を開くことができ、前記第１カバーハウジングが傾動して前記挿入開口を開いた状態から、前記モジュラープラグを当該挿入開口に差し込むと、一対の前記第１突起が前記第１案内溝の高い位置に移動すると共に、一対の前記第２突起が前記カム溝の高い位置に移動して、前記モジュラープラグを接続可能に、前記第１ハウジングに対して前記第１カバーハウジングを平行状態に変位させるモジュラージャック。
【００１８】
（１）の発明によるモジュラージャックは、モジュラープラグが電気的に接続される。モジュラープラグは、プラグハウジング、複数の相手側コンタクト、及びロックレバーを有している。プラグハウジングは、外形が直方体状に形成されている。複数の相手側コンタクトは、プラグハウジングの一方の側面に配列されている。ロックレバーは、プラグハウジングの他方の側面に配置されている。
【００１９】
（１）の発明によるモジュラージャックは、直方体状の第１ハウジング、複数の第１コンタクト、及び直方体状の第１カバーハウジングを備えている。第１ハウジングは、挿入開口と第１挿入凹部を有している。挿入開口は、プラグハウジングを挿入できるように、第１ハウジングの一方の端面を開口している。第１挿入凹部は、挿入開口に連通している。又、第１挿入凹部は、プラグハウジングの一方の側面がスライドする第１底壁を設けている。複数の第１コンタクトは、第１挿入凹部の奥側に配列され、相手側コンタクトと接続できる。
【００２０】
第１カバーハウジングは、第２挿入凹部を有している。第２挿入凹部は、挿入開口の一部を形成するように一方の端面を開口している。又、第２挿入凹部は、プラグハウジングの他方の側面がスライドする第２底壁を設けている。そして、第１カバーハウジングは、第１底壁の両翼に形成された一対の第１内側壁に外側壁が対向するように、第１ハウジングと揺動可能に連結している。
【００２１】
第１ハウジングは、一対の第１突起と一対の第２突起を有している。一対の第１突起は、第１挿入凹部の奥側に配置されている。又、一対の第１突起は、対向するように第１内側壁から突出している。一方、一対の第２突起は、第１挿入凹部の挿入開口側に配置されている。又、一対の第２突起は、対向するように第１内側壁から突出している。
【００２２】
第１カバーハウジングは、一対の直条の第１案内溝と一対の楕円状に閉塞した案内輪郭を形成したカム溝を外側壁に有している。第１案内溝は、第１突起に案内されて、第１底壁と第２底壁との離間距離を変えることができる。カム溝は、第２突起に案内されて第１底壁と第２底壁との離間距離を変えると共に、第１カバーハウジングの姿勢を変化させることができる。
【００２３】
第１カバーハウジングが第１挿入凹部を閉じて、一対の第１突起が第１案内溝の低い位置にあるときは、一対の第１突起を回転中心として、一対の第２突起がカム溝の一方の案内輪郭に案内されて、挿入開口を開くことができる。
【００２４】
第１カバーハウジングが傾動して挿入開口を開いた状態から、モジュラープラグを挿入開口に挿入すると、一対の第１突起が第１案内溝の高い位置に移動すると共に、一対の第２突起がカム溝の高い位置に移動して、モジュラープラグを接続可能に、第１ハウジングに対して第１カバーハウジングを平行状態に変位させることができる。
【００２５】
（１）の発明によるモジュラージャックは、第１ハウジングには、従来技術のように、一対の軸受部を突出しておらず、第１カバーハウジングが第１ハウジングの第１挿入凹部を閉じた状態では、第１ジャックの厚さをモジュラージャックより薄い厚さに低背化できる。これにより、（１）の発明によるモジュラージャックをノート形パソコンなどの電子機器に実装して、電子機器を小型化できる。
【００２６】
又、（１）の発明によるモジュラージャックは、モジュラープラグを電気的に接続する場合は、挿入開口が拡がるように、第１カバーハウジングを揺動変位させ、モジュラープラグを第１ハウジングの第１挿入凹部に挿入すると、モジュラープラグの挿入動作で第１カバーハウジングの姿勢が変位されて、第１ハウジングと第１カバーハウジングでモジュラープラグを挟持するように、第１ハウジングと第１カバーハウジングを連結できる。
【００２７】
（２）  前記第１カバーハウジングが傾動して前記挿入開口を閉じた状態から、一対の前記第２突起が前記カム溝の他方の案内輪郭に当接すると共に、一対の前記第１突起が前記第１案内溝の低い位置に移動して、前記第１ハウジングに対して前記第１カバーハウジングが平行状態で前記第１挿入凹部を閉じる（１）記載のモジュラージャック。
【００２８】
（２）の発明によるモジュラージャックは、第１カバーハウジングが傾動して挿入開口を閉じた状態から、一対の第２突起がカム溝の他方の案内輪郭に当接すると共に、一対の第１突起が第１案内溝の低い位置に移動して、第１ハウジングに対して第１カバーハウジングが平行状態で第１挿入凹部を閉じることができる。
【００２９】
（３）  外形が直方体状に形成されたプラグハウジング、このプラグハウジングの一方の側面に配列された複数の相手側コンタクト、及び前記プラグハウジングの他方の側面に配置されたロックレバーを有するモジュラープラグが電気的に接続されるモジュラージャックであって、前記プラグハウジングを挿入できるように一方の端面を開口した挿入開口、及びこの挿入開口に連通すると共に、前記プラグハウジングの一方の側面がスライドする第３底壁を設けた第３挿入凹部を有する直方体状の第２ハウジングと、前記第３挿入凹部の奥側に配列され、前記相手側コンタクトと接続する複数の第２コンタクトと、前記挿入開口の一部を形成するように一方の端面を開口すると共に、前記プラグハウジングの他方の側面がスライドする第４底壁を設けた第４挿入凹部を有し、前記第３底壁の両翼に形成された一対の第２内側壁に外側壁が対向するように、前記第２ハウジングと揺動可能に連結した直方体状の第２カバーハウジングと、を備え、前記第２ハウジングは、前記第３挿入凹部の奥側に配置され、対向するように前記第２内側壁から突出した一対の第３突起と、一対の前記第２内側壁の先端部に配置され、対向するように前記第２内側壁から突出した一対の段差部と、を有し、前記第２カバーハウジングは、一対の前記第３突起に案内され、前記第３底壁と前記第４底壁との離間距離を変える直条の第２案内溝と、一対の前記外側壁の先端部から相反する向きに突出し、前記段差部に係止可能な鍔片と、を有し、前記第２カバーハウジングが前記第３挿入凹部を閉じて、一対の前記第３突起が前記第２案内溝の低い位置にあるときは、前記鍔片の端部が前記段差部に当接して、前記挿入開口を開くことができ、前記第２カバーハウジングが傾動して前記挿入開口を開いた状態から、前記モジュラープラグを当該挿入開口に差し込むと、一対の前記第３突起が前記第２案内溝の高い位置に移動して、前記モジュラープラグを接続可能に、前記第２ハウジングに対して前記第２カバーハウジングを平行状態に変位させるモジュラージャック。
【００３０】
（３）の発明によるモジュラージャックは、モジュラープラグが電気的に接続される。モジュラープラグは、プラグハウジング、複数の相手側コンタクト、及びロックレバーを有している。プラグハウジングは、外形が直方体状に形成されている。複数の相手側コンタクトは、プラグハウジングの一方の側面に配列されている。ロックレバーは、プラグハウジングの他方の側面に配置されている。
【００３１】
（３）の発明によるモジュラージャックは、直方体状の第２ハウジング、複数の第２コンタクト、及び直方体状の第２カバーハウジングを備えている。第２ハウジングは、挿入開口と第３挿入凹部を有している。挿入開口は、プラグハウジングを挿入できるように、第２ハウジングの一方の端面を開口している。第３挿入凹部は、挿入開口に連通している。又、第３挿入凹部は、プラグハウジングの一方の側面がスライドする第３底壁を設けている。複数の第２コンタクトは、第３挿入凹部の奥側に配列され、相手側コンタクトと接続できる。
【００３２】
第２カバーハウジングは、第４挿入凹部を有している。第４挿入凹部は、挿入開口の一部を形成するように一方の端面を開口している。又、第４挿入凹部は、プラグハウジングの他方の側面がスライドする第４底壁を設けている。そして、第２カバーハウジングは、第３底壁の両翼に形成された一対の第２内側壁に外側壁が対向するように、第２ハウジングと揺動可能に連結している。
【００３３】
第２ハウジングは、一対の第３突起と一対の段差部を有している。一対の第３突起は、第１挿入凹部の奥側に配置されている。又、一対の第３突起は、対向するように第２内側壁から突出している。一方、一対の段差部は、一対の第２内側壁の先端部に配置されている。又、一対の段差部は、対向するように第２内側壁から突出している。
【００３４】
第２カバーハウジングは、一対の直条の第２案内溝と一対の鍔片を有している。第２案内溝は、第３突起に案内されて、第３底壁と第４底壁との離間距離を変えることができる。一対の鍔片は、一対の外側壁の先端部から相反する向きに突出し、段差部に係止することができる。
【００３５】
第２カバーハウジングが第３挿入凹部を閉じて、一対の第３突起が第２案内溝の低い位置にあるときは、鍔片の端部を段差部に当接して、挿入開口を開くことができる。
【００３６】
第２カバーハウジングが傾動して挿入開口を開いた状態から、モジュラープラグを挿入開口に差し込むと、一対の第３突起が第２案内溝の高い位置に移動して、モジュラープラグを接続可能に、第２ハウジングに対して第２カバーハウジングを平行状態に変位させることができる。
【００３７】
（３）の発明によるモジュラージャックは、第２ハウジングには、従来技術のように、一対の軸受部を突出しておらず、第２カバーハウジングが第２ハウジングの第１挿入凹部を閉じた状態では、ジャックの厚さをモジュラープラグより薄い厚さに低背化できる。これにより、（３）の発明によるモジュラージャックをノート形パソコンなどの電子機器に実装して、電子機器を小型化できる。
【００３８】
又、（３）の発明によるモジュラージャックは、モジュラープラグを電気的に接続する場合は、挿入開口が拡がるように、第２カバーハウジングを揺動変位させ、モジュラープラグを第２ハウジングの第３挿入凹部に挿入すると、モジュラープラグの挿入動作で第２カバーハウジングの姿勢が変位されて、第２ハウジングと第２カバーハウジングでモジュラープラグを挟持するように、第２ハウジングと第２カバーハウジングを連結できる。
【００３９】
（４）  前記第２ハウジングの外壁を覆うと共に、外殻を構成する金属製のシェルを更に備える（３）記載のモジュラージャック。
【００４０】
（５）  プリント基板に実装される（１）から（４）のいずれかに記載のモジュラージャック。
【発明の効果】
【００４１】
本発明によるモジュラージャックは、ハウジングには、従来技術のように、一対の軸受部を突出しておらず、カバーハウジングがハウジングの挿入凹部を閉じた状態では、ジャックの厚さをモジュラープラグより薄い厚さに低背化できる。これにより、本発明によるモジュラージャックをノート形パソコンなどの電子機器に実装して、電子機器を小型化できる。
【図面の簡単な説明】
【００４２】
【図１】本発明の第１実施形態によるモジュラージャックの構成を示す斜視図であり、図１（Ａ）は、第１実施形態によるモジュラージャックをプリント基板に実装した状態図、図１（Ｂ）は、第１実施形態によるモジュラージャックをプリント基板に実装する前の状態図である。
【図２】第１実施形態によるモジュラージャックの構成を示す斜視分解組立図である。
【図３】第１実施形態によるモジュラージャックに備わる第１ハウジングの構成を示す図であり、図３（Ａ）は正面図、図３（Ｂ）は平面図、図３（Ｃ）は右側面図、図３（Ｄ）は左側面図、図３（Ｅ）は底面図、図３（Ｆ）は背面図、図３（Ｇ）は図３（Ａ）のＸ−Ｘ矢視断面図である。
【図４】第１実施形態によるモジュラージャックに備わる第１カバーハウジングの構成を示す図であり、図４（Ａ）は正面図、図４（Ｂ）は平面図、図４（Ｃ）は右側面図、図４（Ｄ）は左側面図、図４（Ｅ）は底面図、図４（Ｆ）は背面図、図４（Ｇ）は図４（Ａ）のＸ−Ｘ矢視断面図である。
【図５】第１実施形態によるモジュラージャックに備わる第コンタクトの構成を示す図であり、図５（Ａ）は、第１コンタクトの斜視図、図５（Ｂ）は、第１コンタクトの右側面図である。
【図６】モジュラープラグの構成を示す図であり、図６（Ａ）は正面図、図６（Ｂ）は平面図、図６（Ｃ）は右側面図、図６（Ｄ）は左側面図、図６（Ｅ）は背面図、図６（Ｆ）は底面図、図６（Ｇ）は斜視図である。
【図７】第１実施形態によるモジュラージャックの構成を示す斜視図であり、第１実施形態によるモジュラージャックにモジュラープラグが挿入された状態図である。
【図８】第１実施形態によるモジュラージャックの状態変化図であり、図８（Ａ）は、モジュラープラグをモジュラージャックに挿入する前の状態図、図８（Ｂ）は、モジュラージャックの挿入開口を開いた状態図、図８（Ｃ）は、モジュラープラグをモジュラージャックの挿入開口に挿入した状態図、図８（Ｄ）は、モジュラープラグをモジュラージャックに完全に挿入した状態図、図８（Ｅ）は、モジュラージャックの挿入開口を閉じた状態図である。
【図９】本発明の第２実施形態によるモジュラージャックの構成を示す斜視図である。
【図１０】第２実施形態によるモジュラージャックの構成を示す斜視分解組立図である。
【図１１】第２実施形態によるモジュラージャックに備わる第２ハウジングの構成を示す図であり、図１１（Ａ）は正面図、図１１（Ｂ）は平面図、図１１（Ｃ）は右側面図、図１１（Ｄ）は左側面図、図１１（Ｅ）は底面図、図１１（Ｆ）は背面図、図１１（Ｇ）は図１１（Ａ）のＸ−Ｘ矢視断面図である。
【図１２】第２実施形態によるモジュラージャックに備わる第２カバーハウジングの構成を示す図であり、図１２（Ａ）は正面図、図１２（Ｂ）は平面図、図１２（Ｃ）は右側面図、図１２（Ｄ）は左側面図、図１２（Ｅ）は底面図、図１２（Ｆ）は背面図、図１２（Ｇ）は図１２（Ａ）のＸ−Ｘ矢視断面図である。
【図１３】第２実施形態によるモジュラージャックの状態変化図であり、図１３（Ａ）は、モジュラープラグをモジュラージャックに挿入する前の状態図、図１３（Ｂ）は、モジュラージャックの挿入開口を開いた状態図、図１３（Ｃ）は、モジュラープラグをモジュラージャックの挿入開口に挿入した状態図、図１３（Ｄ）は、モジュラープラグをモジュラージャックに完全に挿入した状態図、図１３（Ｅ）は、モジュラージャックの挿入開口を閉じた状態図である。
【図１４】本発明の第３実施形態によるモジュラージャックの構成を示す斜視図であり、第３実施形態によるモジュラージャックを上面側から観ている。
【図１５】本発明の第３実施形態によるモジュラージャックの構成を示す斜視図であり、第３実施形態によるモジュラージャックを底面側から観ている。
【図１６】従来技術によるモジュラージャックの斜視図であり、モジュラープラグを対向配置した状態図である。
【図１７】従来技術によるモジュラージャックの縦断面図であり、モジュラープラグを対向配置した状態図である。
【発明を実施するための形態】
【００４３】
以下、図面を参照して本発明を実施するための形態を説明する。
【００４４】
［第１実施形態］
（モジュラージャックの構成）
最初に、本発明の第１実施形態によるモジュラージャックの構成を説明する。図１は、本発明の第１実施形態によるモジュラージャックの構成を示す斜視図であり、図１（Ａ）は、第１実施形態によるモジュラージャックをプリント基板に実装した状態図、図１（Ｂ）は、第１実施形態によるモジュラージャックをプリント基板に実装する前の状態図である。
【００４５】
図２は、第１実施形態によるモジュラージャックの構成を示す斜視分解組立図である。図３は、第１実施形態によるモジュラージャックに備わる第１ハウジングの構成を示す図であり、図３（Ａ）は正面図、図３（Ｂ）は平面図、図３（Ｃ）は右側面図、図３（Ｄ）は左側面図、図３（Ｅ）は底面図、図３（Ｆ）は背面図、図３（Ｇ）は図３（Ａ）のＸ−Ｘ矢視断面図である。
【００４６】
図４は、第１実施形態によるモジュラージャックに備わる第１カバーハウジングの構成を示す図であり、図４（Ａ）は正面図、図４（Ｂ）は平面図、図４（Ｃ）は右側面図、図４（Ｄ）は左側面図、図４（Ｅ）は底面図、図４（Ｆ）は背面図、図４（Ｇ）は図４（Ａ）のＸ−Ｘ矢視断面図である。
【００４７】
図５は、第１実施形態によるモジュラージャックに備わる第コンタクトの構成を示す図であり、図５（Ａ）は、第１コンタクトの斜視図、図５（Ｂ）は、第１コンタクトの右側面図である。
【００４８】
図６は、モジュラープラグの構成を示す図であり、図６（Ａ）は正面図、図６（Ｂ）は平面図、図６（Ｃ）は右側面図、図６（Ｄ）は左側面図、図６（Ｅ）は背面図、図６（Ｆ）は底面図、図６（Ｇ）は斜視図である。
【００４９】
図１（Ａ）を参照すると、第１実施形態によるモジュラージャック（以下、ジャックと略称する）１０は、プリント基板１ｐの一方の面１１ｐに実装されている。ジャック１０は、モジュラープラグ（以下、プラグと略称する）９１が電気的に接続される。ジャック１０には、プリント基板１ｐの一方の面１１ｐと略平行にプラグ９１を挿入できる。第１実施形態によるジャック１０は、プラグ９１がプリント基板１ｐの一方の面１１ｐと略平行に挿入される水平取付形コネクタを構成している。
【００５０】
（モジュラープラグの構成）
図１又は図６を参照すると、プラグ９１は、ＲＪ４５プラグを示している。プラグ９１は、プラグハウジング９１ｈ、キー９１ｋ、及び相手側コンタクトとなる八つのコンタクト９１ｃを有している。プラグハウジング９１ｈは、外形が直方体状に形成されている。キー９１ｋは、プラグハウジング９１ｈの一方の端面９１ａから四角柱状に突出している。又、キー９１ｋの一部は、プラグハウジング９１ｈの他方の側面９１２に帯状に延びている。
【００５１】
図１又は図６を参照すると、プラグハウジング９１ｈは、ロックレバー９１ｒを更に備えている。ロックレバー９１ｒは、プラグハウジング９１ｈの他方の側面９１２に配置され、基端部がキー９１ｋに連設されている。又、ロックレバー９１ｒは、一対の係止爪９１ｎ・９１ｎを設けている。
【００５２】
図１又は図６を参照すると、プラグハウジング９１ｈは、櫛の歯状に形成された八つの切り欠き溝を一方の側面９１１の端部に形成している。そして、これらの切り欠き溝に板状のコンタクト９１ｃを配列している。コンタクト９１ｃは、第１コンタクト５（図５参照）が接触できるように、板厚面が露出している。
【００５３】
引き続き、第１実施形態によるジャック１０の構成を説明する。図７は、第１実施形態によるモジュラージャックの構成を示す斜視図であり、第１実施形態によるモジュラージャックにモジュラープラグが挿入された状態図である。
【００５４】
図１から図５を参照すると、第１実施形態によるジャック１０は、直方体状の第１ハウジング１、八つの第１コンタクト５、及び直方体状の第１カバーハウジング３を備えている。
【００５５】
（第１ハウジングの構成）
図１から図３を参照すると、第１ハウジング１は、絶縁性を有する合成樹脂を成形している。そして、第１ハウジング１は、挿入開口１１ａと第１挿入凹部１１を有している。挿入開口１１ａは、プラグハウジング９１ｈを挿入できるように、第１ハウジング１の一方の端面を矩形に開口している。
【００５６】
図１から図３を参照すると、第１挿入凹部１１は、挿入開口１１ａに連通している。又、第１挿入凹部１１は、プラグハウジング９１ｈの一方の側面９１１がスライドする第１底壁１ｂｗを設けている（図６参照）。
【００５７】
図１又は図２及び図５を参照すると、八つの第１コンタクト５は、第１挿入凹部１１の奥側に配列されている。これらの第１コンタクト５は、相手側コンタクトとなるコンタクト９１ｃに接続できる（図６参照）。
【００５８】
（第１カバーハウジングの構成）
図１又は図２及び図４を参照すると、第１カバーハウジング３は、絶縁性を有する合成樹脂を成形している。第１カバーハウジング３は、第２挿入凹部３０を有している。第２挿入凹部３０は、挿入開口１１ａの一部を形成するように一方の端面を開口している。又、第２挿入凹部３０は、プラグハウジング９１ｈの他方の側面９１２がスライドする第２底壁３ｂｗを設けている（図６参照）。そして、第１カバーハウジング３は、第１底壁１ｂｗの両翼に形成された一対の第１内側壁１ｓｗ・１ｓｗに外側壁３ｓｗ・３ｓｗが対向するように、第１ハウジング１と揺動可能に連結している。
【００５９】
図２又は図３を参照すると、第１ハウジング１は、一対の第１突起１１ｂ・１１ｂと一対の第２突起１２ｂ・１２ｂを有している。一対の第１突起１１ｂ・１１ｂは、第１挿入凹部１１の奥側に配置されている。又、一対の第１突起１１ｂ・１１ｂは、対向するように第１内側壁１ｓｗ・１ｓｗから突出している。一方、一対の第２突起１２ｂ・１２ｂは、第１挿入凹部１１の挿入開口１１ａ側に配置されている。又、一対の第２突起１２ｂ・１２ｂは、対向するように第１内側壁１ｓｗ・１ｓｗから突出している。
【００６０】
図３を参照すると、第１ハウジング１は、一対の第１内側壁１ｓｗ・１ｓｗの先端部に配置された段差部１ｄｉ・１ｄｉを有している。一対の段差部１ｄｉ・１ｄｉは、対向するように第１内側壁１ｓｗ・１ｓｗから突出している。一対の段差部１ｄｉ・１ｄｉには、後述する一対の鍔片３ｃ・３ｃが係止して（図４参照）、第１カバーハウジング３の移動を停止できる。
【００６１】
図２又は図４を参照すると、第１カバーハウジング３は、一対の直条の第１案内溝３１と一対の楕円状に閉塞した案内輪郭３２ａ・３２ｂを形成したカム溝３２を外側壁３ｓｗ・３ｓｗに有している。第１案内溝３１は、第１突起１１ｂに案内されて、第１底壁１ｂｗと第２底壁３ｂｗとの離間距離を変えることができる（図２又は図３参照）。カム溝３２は、第２突起１２ｂに案内されて第１底壁１ｂｗと第２底壁３ｂｗとの離間距離を変えると共に、第１カバーハウジング３の姿勢を変化させることができる。
【００６２】
図２又は図４を参照すると、第１カバーハウジング３は、一対の案内片３ｂ・３ｂを立設している。これらの案内片３ｂ・３ｂの外面は、第１内側壁１ｓｗ・１ｓｗに対向する外側壁３ｓｗ・３ｓｗとなっている。又、一対の案内片３ｂ・３ｂは、その先端部から相反する向きに突出した鍔片３ｃ・３ｃを有している。そして、第１カバーハウジング３は、一対の鍔片３ｃ・３ｃの先端縁が一対の第１内側壁１ｓｗ・１ｓｗにスライドしながら移動できる（図３参照）。
【００６３】
一方、図２又は図３を参照すると、第１ハウジング１は、一対のスリット開口１１ｈ・１１ｈを上壁に開口している。第１カバーハウジング３を第１ハウジング１に向けて移動すると、一対の鍔片３ｃ・３ｃが一対のスリット開口１１ｈ・１１ｈに表出するクリック感で第１カバーハウジング３の押込み量が規定される。又、第１カバーハウジング３を第１ハウジング１に向けて閉じると、一対の案内片３ｂ・３ｂの上端面がスリット開口１１ｈ・１１ｈに表出するので、第１ハウジング１に対して第１カバーハウジング３が閉じていることを確認できる。
【００６４】
図２を参照して、第１カバーハウジング３が第１挿入凹部１１を閉じて、一対の第１突起１１ｂ・１１ｂが第１案内溝３１・３１の低い位置にあるときは（図８（Ｂ）参照）、一対の第１突起１１ｂ・１１ｂを回転中心として、一対の第２突起１２ｂ・１２ｂがカム溝３２の一方の案内輪郭３２ａに案内されて、挿入開口１１ａを開くことができる（図８（Ｂ）参照）。
【００６５】
図８（Ｂ）を参照して、第１カバーハウジング３が傾動して挿入開口１１ａを開いた状態から、プラグ９１を挿入開口１１ａに差し込むと、一対の第１突起１１ｂ・１１ｂが第１案内溝３１・３１の高い位置に移動すると共に、一対の第２突起１２ｂ・１２ｂがカム溝３２・３２の高い位置に移動して、プラグ９１を接続可能に、第１ハウジング１に対して第１カバーハウジング３を平行状態に変位させることができる（図８（Ｄ）参照）。
【００６６】
図２又は図４を参照すると、第１カバーハウジング３は、対向する一対の係止片３ａ・３ａを底面側に形成している。一対の係止片３ａ・３ａは、キー９１ｋが通過できるように所定の間隔を設けて配置されている（図６参照）。
【００６７】
図２又は図４を参照して、プラグ９１を第２挿入凹部３０に挿入すると、ロックレバー９１ｒが一対の係止片３ａ・３ａにスライドして、ロックレバー９１ｒが他方の側面９１２に近づくように、弾性変形する（図６参照）。プラグ９１を第２挿入凹部３０に完全に挿入すると（図７参照）、ロックレバー９１ｒが弾性復帰して、一対の係止爪９１ｎ・９１ｎを係止片３ａ・３ａに係止できる（図６参照）。つまり、プラグ９１をジャック１０にロックできる。ロックレバー９１ｒがプラグハウジング９１ｈに近づくように、ロックレバー９１ｒを把持すると、ロックを解除できる。
【００６８】
（第１コンタクトの構成）
図５を参照すると、第１コンタクト５は、導電性を有するベローズコンタクトからなり、導電性の金属板を打ち抜き加工又は折り曲げ加工して、所望の形状の導電性の第１コンタクト５を得ることができる。第１コンタクト５は加工の容易性や、ばね特性、導電性などを考慮すれば、銅合金が好ましく用いられるが、銅合金に限定される訳ではない。
【００６９】
図５を参照すると、第１コンタクト５は、固定アーム５ａ、水平アーム５ｂ、及び弾性アーム５ｃで構成している。固定アーム５ａは、直条に延びている。そして、固定アーム５ａは、挿入開口１１ａと反対側の第１ハウジング１の壁面１ａに対向している（図３参照）。固定アーム５ａの先端部側は、プリント基板１ｐに設けたスルーホール（図示せず）に挿入されて、ハンダ接合されるリード端子となっている（図１参照）。
【００７０】
図５を参照すると、固定アーム５ａの基端部は、略直角に屈曲されて、水平アーム５ｂを延出している。水平アーム５ｂの先端部は、鋭角に屈曲されて、固定アーム５ａに向かって延びる弾性アーム５ｃとなっている。水平アーム５ｂ及び弾性アーム５ｃは、第１ハウジング１に設けた櫛の歯状のスリット開口１１ｓに挿入できる（図３参照）。
【００７１】
図３を参照すると、第１ハウジング１は、スリット開口１１ｓに連通する櫛の歯状の複数のスリット溝１２ｓを壁面１ａに設けている。図３を参照して、水平アーム５ｂ及び弾性アーム５ｃをスリット開口１１ｓに挿入すると、水平アーム５ｂをスリット溝１２ｓに嵌合できる。
【００７２】
図１又は図２を参照して、プラグ９１を第１挿入凹部１１に挿入すると、第１コンタクト５の弾性アーム５ｃ（図３参照）をプラグハウジング９１ｈに形成された切り欠き溝（図６（Ｂ）参照）に進入できる。そして、コンタクト９１ｃの板厚面に弾性アーム５ｃを弾性接触できる。
【００７３】
図１又は図２及び図６を参照すると、ジャック１０は、一対の金属製の補強タブ７ａ・７ｂを更に備えている。これらの補強タブ７ａ・７ｂは、圧入片７１と接合片７２で構成している。圧入片７１は、第１ハウジング１の外壁に設けた枠部１ｆに圧入されている。
【００７４】
図１を参照すると、ジャック１０は、一対の接合片７２・７２を相反する向きに突出している。図１（Ｂ）を参照すると、プリント基板１ｐは、矩形の切り欠き１２ｐを端部に形成している。そして、一対の接合片７２・７２以降の第１ハウジング１を切り欠き１２ｐに挿入できる。切り欠き１２ｐの両翼には、接合片７２の先端部が挿入されるスルーホール（図示せず）を形成することが好ましく、スルーホールに接合片７２の先端部をハンダ接合することが好ましく、プリント基板１ｐに対するジャック１０の接合強度を補強できる。
【００７５】
（モジュラージャックの作用）
次に、第１実施形態によるジャック１０の動作を説明しながら、ジャック１０の作用及び効果を説明する。
【００７６】
図８は、第１実施形態によるモジュラージャックの状態変化図であり、図８（Ａ）は、モジュラープラグをモジュラージャックに挿入する前の状態図、図８（Ｂ）は、モジュラージャックの挿入開口を開いた状態図、図８（Ｃ）は、モジュラープラグをモジュラージャックの挿入開口に挿入した状態図、図８（Ｄ）は、モジュラープラグをモジュラージャックに完全に挿入した状態図、図８（Ｅ）は、モジュラージャックの挿入開口を閉じた状態図である。なお、図８の左列は、プラグ９１とジャック１０の側面図、図８の中央列は、第１カバーハウジング３の側面図、図８の右列は、プラグ９１とジャック１０の縦断面図である。
【００７７】
図８（Ａ）を参照して、プラグ９１をジャック１０に挿入する前の状態では、第１突起１１ｂ及び第２突起１２ｂは、第１案内溝３１及びカム溝３２の最も低い位置にあり、第１カバーハウジング３が第１挿入凹部１１を閉じている。図８（Ａ）に示された状態は、ジャック１０の高さＨが最も低くなっており、この高さＨは、プラグ９１の規定の高さＨｐより低くなっている（図８（Ａ）参照）。
【００７８】
次に、図８（Ａ）に示された状態から、プラグ９１をジャック１０に挿入するために、図８（Ｂ）に示すように、ジャック１０の挿入開口１１ａを拡げる（図１参照）。この場合、一対の第１突起１１ｂ・１１ｂを回転中心として、一対の第２突起１２ｂ・１２ｂがカム溝３２の一方の案内輪郭３２ａに案内されて、挿入開口１１ａを円滑に開くことができる（図３及び図４参照）。
【００７９】
次に、図８（Ｂ）に示された状態から、図８（Ｃ）に示すように、プラグ９１を挿入開口１１ａに挿入する。図８（Ｃ）に示された状態では、一対の第１突起１１ｂ・１１ｂは、第１案内溝３１の中間位置に移動している。又、一対の第２突起１２ｂ・１２ｂは、カム溝３２の高い位置に移動している。つまり、プラグ９１を挿入動作に対応して、第１カバーハウジング３の姿勢が矯正されている。
【００８０】
次に、図８（Ｃ）に示された状態から、プラグ９１を第１挿入凹部１１の奥壁に突き当たるまで挿入すると、図８（Ｄ）に示されるように、プラグ９１をジャック１０に接続できる。図８（Ｄ）に示された状態では、第１ハウジング１に対して第１カバーハウジング３を平行状態に変位させている。又、図８（Ｄ）に示された状態では、ロックレバー９１ｒは、ジャック１０に係止している。ロックレバー９１ｒがジャック１０に係止した状態でも、ジャック１０を低背化できるように、ロックレバー９１ｒは、完全に復帰できない状態になっている。
【００８１】
図８（Ｄ）に示された状態から、ジャック１０からプラグ９１を引き抜いた後は、図８（Ｅ）に示すように、ジャック１０の挿入開口１１ａを閉じておく。次に、第１カバーハウジング３の奥側を押すと、一対の第２突起１２ｂ・１２ｂがカム溝３２の他方の案内輪郭３２ｂに当接すると共に、一対の第１突起１１ｂ・１１ｂが第１案内溝３１・３１の低い位置に移動して、第１ハウジング１に対して第１カバーハウジング３が平行状態で第１挿入凹部１１を閉じることができる。そして、ジャック１０を初期の状態に復帰できる（図８（Ａ）参照）。
【００８２】
このように、第１実施形態によるジャック１０は、第１カバーハウジング３が第１挿入凹部１１を閉じて、一対の第１突起１１ｂ・１１ｂが第１案内溝３１・３１の低い位置にあるときは、一対の第１突起１１ｂ・１１ｂを回転中心として、一対の第２突起１２ｂ・１２ｂがカム溝３２の一方の案内輪郭３２ａに案内されて、挿入開口１１ａを開くことができる。
【００８３】
又、第１実施形態によるジャック１０は、第１カバーハウジング３が傾動して挿入開口１１ａを開いた状態から、プラグ９１を挿入開口１１ａに挿入すると、一対の第１突起１１ｂ・１１ｂが第１案内溝３１・３１の高い位置に移動すると共に、一対の第２突起１２ｂ・１２ｂがカム溝３２の高い位置に移動して、プラグ９１を接続可能に、第１ハウジング１に対して第１カバーハウジング３を平行状態に変位させることができる。
【００８４】
第１実施形態によるジャック１０は、第１ハウジング１には、従来技術のように、一対の軸受部を突出しておらず、第１カバーハウジング３が第１ハウジング１の第１挿入凹部１１を閉じた状態では、第１ハウジング１の厚さをプラグ９１より薄い厚さに低背化できる。これにより、第１実施形態によるジャック１０をノート形パソコンなどの電子機器に実装して、電子機器を小型化できる。
【００８５】
［第２実施形態］
（モジュラージャックの構成）
次に、本発明の第２実施形態によるモジュラージャックの構成を説明する。図９は、本発明の第２実施形態によるモジュラージャックの構成を示す斜視図である。図１０は、第２実施形態によるモジュラージャックの構成を示す斜視分解組立図である。
【００８６】
図１１は、第２実施形態によるモジュラージャックに備わる第２ハウジングの構成を示す図であり、図１１（Ａ）は正面図、図１１（Ｂ）は平面図、図１１（Ｃ）は右側面図、図１１（Ｄ）は左側面図、図１１（Ｅ）は底面図、図１１（Ｆ）は背面図、図１１（Ｇ）は図１１（Ａ）のＸ−Ｘ矢視断面図である。
【００８７】
図１２は、第２実施形態によるモジュラージャックに備わる第２カバーハウジングの構成を示す図であり、図１２（Ａ）は正面図、図１２（Ｂ）は平面図、図１２（Ｃ）は右側面図、図１２（Ｄ）は左側面図、図１２（Ｅ）は底面図、図１２（Ｆ）は背面図、図１２（Ｇ）は図１２（Ａ）のＸ−Ｘ矢視断面図である。
【００８８】
図９を参照すると、第２実施形態によるジャック２０は、プリント基板１ｐの他方の面１３ｐに実装されている（図１参照）。ジャック２０は、プラグ９１が電気的に接続される（図１又は図６参照）。ジャック２０には、プリント基板１ｐの他方の面１３ｐと略平行にプラグ９１を挿入できる（図１参照）。第２実施形態によるジャック２０は、プラグ９１がプリント基板１ｐの他方の面１３ｐと略平行に挿入される水平取付形コネクタを構成している（図１参照）。
【００８９】
図９から図１２を参照すると、第２実施形態によるジャック１０は、直方体状の第２ハウジング２、八つの第２コンタクト６、及び直方体状の第２カバーハウジング４を備えている。なお、八つの第２コンタクト６は、図１３に示されるように、スタッガード状（千鳥配列）に配列されているので、図９又は図１０では、四つの第２コンタクト６のみを図示している。
【００９０】
（第２ハウジングの構成）
図９から図１１を参照すると、第２ハウジング２は、絶縁性を有する合成樹脂を成形している。そして、第２ハウジング２は、挿入開口２１ａと第３挿入凹部２１を有している。挿入開口２１ａは、プラグハウジング９１ｈを挿入できるように、第２ハウジング２の一方の端面を矩形に開口している。
【００９１】
図９から図１１を参照すると、第３挿入凹部２１は、挿入開口２１ａに連通している。又、第３挿入凹部２１は、プラグハウジング９１ｈの一方の側面９１１がスライドする第３底壁２ｂｗを設けている（図６参照）。
【００９２】
図９又は図１０を参照すると、八つの第２コンタクト６は、第３挿入凹部２１の奥側に配列されている。これらの第２コンタクト６は、相手側コンタクトとなるコンタクト９１ｃに接続できる（図６参照）。
（第２カバーハウジングの構成）
図９又は図１０及び図１２を参照すると、第２カバーハウジング４は、絶縁性を有する合成樹脂を成形している。第２カバーハウジング４は、第４挿入凹部４０を有している。第４挿入凹部４０は、挿入開口２１ａの一部を形成するように一方の端面を開口している。又、第４挿入凹部４０は、プラグハウジング９１ｈの他方の側面９１２がスライドする第４底壁４ｂｗを設けている（図６参照）。そして、第２カバーハウジング４は、第３底壁２ｂｗの両翼に形成された一対の第２内側壁２ｓｗ・２ｓｗに外側壁４ｓｗ・４ｓｗが対向するように、第２ハウジング２と揺動可能に連結している。
【００９３】
図１１を参照すると、第２ハウジング２は、一対の第３突起２１ｂ・２１ｂを有している。一対の第３突起２１ｂ・２１ｂは、第３挿入凹部２１の奥側に配置されている。又、一対の第３突起２１ｂ・２１ｂは、対向するように第２内側壁２ｓｗ・２ｓｗから突出している。
【００９４】
図１１を参照すると、第２ハウジング２は、一対の第２内側壁２ｓｗ・２ｓｗの先端部に配置された段差部２ｄｉ・２ｄｉを有している。一対の段差部２ｄｉ・２ｄｉは、対向するように第２内側壁２ｓｗ・２ｓｗから突出している。一対の段差部２ｄｉ・２ｄｉには、後述する一対の鍔片４ｃ・４ｃが係止して（図１２参照）、第２カバーハウジング４の移動を停止できる。
【００９５】
図１０又は図１２を参照すると、第２カバーハウジング４は、一対の案内片４ｂ・４ｂを立設している。これらの４ｂ・４ｂの外面は、第２内側壁２ｓｗ・２ｓｗに対向する外側壁４ｓｗ・４ｓｗとなっている。又、一対の案内片４ｂ・４ｂは、その先端部から相反する向きに突出した鍔片４ｃ・４ｃを有している。そして、第２カバーハウジング４は、一対の鍔片４ｃ・４ｃの先端縁が一対の第２内側壁２ｓｗ・２ｓｗにスライドしながら移動できる（図１１参照）。
【００９６】
一方、図９又は図１０を参照すると、第２ハウジング２は、一対のスリット開口２１ｈ・２１ｈを上壁に開口している。第２カバーハウジング４を第２ハウジング２に向けて移動すると、一対の鍔片４ｃ・４ｃが一対のスリット開口２１ｈ・２１ｈに表出するクリック感で第２カバーハウジング４の押込み量が規定される。又、第２カバーハウジング４を第２ハウジング２に向けて閉じると、一対の案内片４ｂ・４ｂの上端面がスリット開口２１ｈ・２１ｈに表出するので、第２ハウジング２に対して第２カバーハウジング４が閉じていることを確認できる。
【００９７】
図１０を参照して、第２カバーハウジング４が第３挿入凹部２１を閉じて、一対の第３突起２１ｂ・２１ｂが第２案内溝４１・４１の低い位置にあるときは（図１３（Ｂ）参照）、一対の第３突起２１ｂ・２１ｂを回転中心として、一対の鍔片４ｃ・４ｃの端部が段差部２ｄｉ・２ｄｉに当接して、挿入開口２１ａを開くことができる（図１２（Ｂ）参照）。
【００９８】
図１３（Ｂ）を参照して、第２カバーハウジング４が傾動して挿入開口２１ａを開いた状態から、プラグ９１を挿入開口２１ａに差し込むと、一対の第３突起２１ｂ・２１ｂが第２案内溝４１・４１の高い位置に移動して、プラグ９１を接続可能に、第２ハウジング２に対して第２カバーハウジング４を平行状態に変位させることができる（図１３（Ｄ）参照）。
【００９９】
図１０又は図１２を参照すると、第２カバーハウジング４は、対向する一対の係止片４ａ・４ａを底面側に形成している。一対の係止片４ａ・４ａは、キー９１ｋが通過できるように所定の間隔を設けて配置されている（図６参照）。
【０１００】
図１０又は図１２を参照して、プラグ９１を第４挿入凹部４０に挿入すると、ロックレバー９１ｒが一対の係止片４ａ・４ａにスライドして、ロックレバー９１ｒが他方の側面９１２に近づくように、弾性変形する（図６参照）。プラグ９１を第４挿入凹部４０に完全に挿入すると（図６参照）、ロックレバー９１ｒが弾性復帰して、一対の係止爪９１ｎ・９１ｎを係止片４ａ・４ａに係止できる（図６参照）。つまり、プラグ９１をジャック２０にロックできる。ロックレバー９１ｒがプラグハウジング９１ｈに近づくように、ロックレバー９１ｒを把持すると、ロックを解除できる。
【０１０１】
（第２コンタクトの構成）
図１０を参照すると、第２コンタクト６は、導電性を有するベローズコンタクトからなり、導電性の金属板を打ち抜き加工又は折り曲げ加工して、所望の形状の導電性の第２コンタクト６を得ることができる。第２コンタクト６は加工の容易性や、ばね特性、導電性などを考慮すれば、銅合金が好ましく用いられるが、銅合金に限定される訳ではない。
【０１０２】
図１０を参照すると、第２コンタクト６は、固定アーム６ａ、水平アーム６ｂ、及び弾性アーム５ｃで構成している。固定アーム６ａは、直条に延びている。そして、固定アーム６ａは、挿入開口２１ａと反対側の第２ハウジング２の壁面２ａに対向している（図１１参照）。固定アーム６ａの先端部側は、Ｕ字状に反転しており、プリント基板１ｐの他方の面１３ｐに設けたスルーホール（図示せず）に挿入されて、ハンダ接合されるリード端子となっている（図１参照）。
【０１０３】
図１０を参照すると、固定アーム６ａの基端部は、略直角に屈曲されて、水平アーム６ｂを延出している。水平アーム６ｂの先端部は、鋭角に屈曲されて、固定アーム６ａに向かって延びる弾性アーム６ｃとなっている。水平アーム６ｂ及び弾性アーム６ｃは、第２ハウジング２に設けた櫛の歯状のスリット開口２１ｓに挿入できる（図１１参照）。
【０１０４】
図１１を参照すると、第２ハウジング２は、スリット開口２１ｓに連通する櫛の歯状の複数のスリット溝１２ｓを壁面２ａに設けている。図１１を参照して、水平アーム６ｂ及び弾性アーム６ｃをスリット開口２１ｓに挿入すると、水平アーム５ｂをスリット溝２２ｓに嵌合できる。
【０１０５】
図９又は図１０を参照して、プラグ９１を第３挿入凹部２１に挿入すると、第２コンタクト６の弾性アーム６ｃをプラグハウジング９１ｈに形成された切り欠き溝（図６（Ｂ）参照）に進入できる。そして、コンタクト９１ｃの板厚面に弾性アーム５ｃを弾性接触できる。
【０１０６】
図９又は図１０を参照すると、ジャック２０は、一対の金属製の補強タブ７ａ・７ｂを更に備えている。これらの補強タブ７ａ・７ｂは、圧入片７１と接合片７２で構成している。圧入片７１は、第２ハウジング２の外壁に設けた枠部２ｆに圧入されている。
【０１０７】
図９を参照すると、ジャック２０は、一対の接合片７２・７２を相反する向きに突出している。図１（Ｂ）を参照すると、プリント基板１ｐは、矩形の切り欠き１２ｐを端部に形成している。そして、一対の接合片７２・７２以降の第２ハウジング２を他方の面１３ｐから切り欠き１２ｐに挿入できる。切り欠き１２ｐの両翼には、接合片７２の先端部が挿入されるスルーホール（図示せず）を形成することが好ましく、スルーホールに接合片７２の先端部をハンダ接合することが好ましく、プリント基板１ｐに対するジャック２０の接合強度を補強できる。
【０１０８】
（モジュラージャックの作用）
次に、第２実施形態によるジャック２０の動作を説明しながら、ジャック２０の作用及び効果を説明する。
【０１０９】
図１３は、第２実施形態によるモジュラージャックの状態変化図であり、図１３（Ａ）は、モジュラープラグをモジュラージャックに挿入する前の状態図、図１３（Ｂ）は、モジュラージャックの挿入開口を開いた状態図、図１３（Ｃ）は、モジュラープラグをモジュラージャックの挿入開口に挿入した状態図、図１３（Ｄ）は、モジュラープラグをモジュラージャックに完全に挿入した状態図、図１３（Ｅ）は、モジュラージャックの挿入開口を閉じた状態図である。なお、図１３の左列は、プラグ９１とジャック２０の側面図、図１３の中央列は、第２カバーハウジング４の側面図、図１３の右列は、プラグ９１とジャック２０の縦断面図である。
【０１１０】
図１３（Ａ）を参照して、プラグ９１をジャック２０に挿入する前の状態では、第３突起２１ｂは、第２案内溝４１の最も低い位置にあり、第２カバーハウジング４が第３挿入凹部２１を閉じている。図１４（Ａ）に示された状態は、ジャック２０の高さＨが最も低くなっており、この高さＨは、プラグ９１の規定の高さＨｐより低くなっている（図１３（Ａ）参照）。
【０１１１】
次に、図１３（Ａ）に示された状態から、プラグ９１をジャック２０に挿入するために、図１３（Ｂ）に示すように、ジャック２０の挿入開口２１ａを拡げる（図９参照）。この場合、一対の鍔片４ｃ・４ｃの端部が段差部２ｄｉ・２ｄｉに当接して、一対の鍔片４ｃ・４ｃの端部を支点として、挿入開口２１ａを円滑に開くことができる（図９及び図１０参照）。
【０１１２】
次に、図１３（Ｂ）に示された状態から、図１３（Ｃ）に示すように、プラグ９１を挿入開口２１ａに挿入する。図１３（Ｃ）に示された状態では、一対の鍔片４ｃ・４ｃの端部を支点として、一対の第３突起２１ｂ・２１ｂが第２案内溝４１の中間位置に移動している。つまり、プラグ９１を挿入動作に対応して、第２カバーハウジング４の姿勢が矯正されている。
【０１１３】
次に、図１３（Ｃ）に示された状態から、プラグ９１を第３挿入凹部２１の奥壁に突き当たるまで挿入すると、図１３（Ｄ）に示されるように、プラグ９１をジャック２０に接続できる。図１３（Ｄ）に示された状態では、第２ハウジング２に対して第２カバーハウジング４を平行状態に変位させている。又、図１３（Ｄ）に示された状態では、ロックレバー９１ｒは、ジャック２０に係止している。ロックレバー９１ｒがジャック２０に係止した状態でも、ジャック２０を低背化できるように、ロックレバー９１ｒは、完全に復帰できない状態になっている。
【０１１４】
図１３（Ｄ）に示された状態から、ジャック２０からプラグ９１を引き抜いた後は、図１３（Ｅ）に示すように、ジャック２０の挿入開口２１ａを閉じておく。次に、第２カバーハウジング４の奥側を押すと、第２カバーハウジング４の前縁を支点として、一対の第３突起２１ｂ・２１ｂが第２案内溝４１・４１の低い位置に移動する。そして、第２ハウジング２に対して第２カバーハウジング４が平行状態で第３挿入凹部２１を閉じることができる。そして、ジャック２０を初期の状態に復帰できる（図１３（Ａ）参照）。
【０１１５】
このように、第２実施形態によるジャック２０は、第２カバーハウジング４が第３挿入凹部２１を閉じて、一対の第３突起２１ｂ・２１ｂが第２案内溝４１・４１の低い位置にあるときは、一対の鍔片４ｃ・４ｃの端部を支点として、挿入開口２１ａを開くことができる。
【０１１６】
又、第２実施形態によるジャック２０は、第２カバーハウジング４が傾動して挿入開口２１ａを開いた状態から、プラグ９１を挿入開口２１ａに挿入すると、一対の鍔片４ｃ・４ｃの端部を支点として、一対の第３突起２１ｂ・２１ｂが第２案内溝４１・４１の高い位置に移動する。そして、プラグ９１を接続可能に、第２ハウジング２に対して第２カバーハウジング４を平行状態に変位させることができる。
【０１１７】
第２実施形態によるジャック２０は、第２ハウジング２には、従来技術のように、一対の軸受部を突出しておらず、第２カバーハウジング４が第２ハウジング２の第３挿入凹部２１を閉じた状態では、第２ハウジング２の厚さをプラグ９１より薄い厚さに低背化できる。これにより、第２実施形態によるジャック２０をノート形パソコンなどの電子機器に実装して、電子機器を小型化できる。
【０１１８】
［第３実施形態］
（モジュラージャックの構成）
次に、本発明の第３実施形態によるモジュラージャックの構成を説明する。
【０１１９】
図１４は、本発明の第３実施形態によるモジュラージャックの構成を示す斜視図であり、第３実施形態によるモジュラージャックを上面側から観ている。図１５は、発明の第３実施形態によるモジュラージャックの構成を示す斜視図であり、第３実施形態によるモジュラージャックを底面側から観ている。なお、第１及び第２実施形態で用いた符号と同じ符号を付した構成品は、その作用を同じにするので、説明を割愛する場合がある。
【０１２０】
図１４又は図１５を参照すると、第３実施形態によるジャック３Ｊは、金属製のシェル８３を更に備えている。シェル８３は、第２ハウジング２の前面、底面、及び両側面を部分的に覆っている。そして、シェル８３は、第２ハウジング２の外殻の一部を構成している。つまり、ジャック３Ｊは、第２実施形態によるジャック２０をシェル８３で補強している。ジャック２０をシェル８３で覆うことにより、電磁妨害（ＥＭＩ）の影響を緩和できる。
【０１２１】
本発明によるモジュラージャックは、ハウジングには、従来技術のように、一対の軸受部を突出しておらず、カバーハウジングがハウジングの挿入凹部を閉じた状態では、ジャックの厚さをモジュラープラグより薄い厚さに低背化できる。これにより、本発明によるモジュラージャックをノート形パソコンなどの電子機器に実装して、電子機器を小型化できる。
【０１２２】
本発明によるモジュラージャックをノート形パソコンなどの側面に装着する場合は、モジュラープラグが接続できるように、ノート形パソコンの本体の底面を切り欠くことが好ましく、モジュラープラグが設置面に当接しないように、ノート形パソコンの本体の底面の開閉式のゴム足を設けることが好ましい。
【符号の説明】
【０１２３】
１  第１ハウジング
１ｂｗ  第１底壁
１ｓｗ  第１内側壁
３  第１カバーハウジング
３ｓｗ  外側壁
５  第１コンタクト
１０  ジャック（モジュラージャック）
１１  第１挿入凹部
１１ａ  挿入開口
１１ｂ  第１突起
１２ｂ  第２突起
３０  第２挿入凹部
３１  第１案内溝
３２  カム溝
３２ａ  案内輪郭
３２ｂ  案内輪郭
９１  プラグ（モジュラープラグ）
９１ｃ  コンタクト（相手側コンタクト）
９１ｈ  プラグハウジング
９１ｒ  ロックレバー
【図１】
2013247047.tif 000003
【図２】
2013247047.tif 000004
【図３】
2013247047.tif 000005
【図４】
2013247047.tif 000006
【図５】
2013247047.tif 000007
【図６】
2013247047.tif 000008
【図７】
2013247047.tif 000009
【図８】
2013247047.tif 000010
【図９】
2013247047.tif 000011
【図１０】
2013247047.tif 000012
【図１１】
2013247047.tif 000013
【図１２】
2013247047.tif 000014
【図１３】
2013247047.tif 000015
【図１４】
2013247047.tif 000016
【図１５】
2013247047.tif 000017
【図１６】
2013247047.tif 000018
【図１７】
2013247047.tif 000019